(57)【要約】【課題】簡略な構造ながら吸音効果を高くして床面側への音の伝達を防ぐゴルフ練習用マットを提供する。【解決手段】ベース部２上に人工芝５が重ねて一体に配設される中、ベース部２表面の平面状部分と人工芝５底面の突部８とがわずかな面積で接触し、人工芝５の基布６とベース部２表面との間には空隙９が介在する状態にあることから、人工芝５側からの音響振動の伝達経路が狭くなって音響抵抗が高くなり、且つ空隙９自体の存在が音響抵抗として働くこととなり、ベース部２と人工芝５を重ねた簡略な構造ながら、床面側への騒音の伝達量を減衰することができ、階下に住空間のあるマンション等の集合住宅の部屋におけるゴルフの練習でも、階下への騒音の到達を抑制して、問題なく練習を実行できる。【選択図】図３
2013220114.tif 000002
【特許請求の範囲】
【請求項１】
少なくとも多孔質弾性材層を含み、全体として弾性変形可能な略板状のベース部と、
基布にパイルを植設して略マット状に形成され、前記ベース部の少なくとも一部の表面に重ねて配設される人工芝とを備え、
前記ベース部が、前記人工芝の重なる表面部分を平面状とされてなり、
前記人工芝が、前記基布の底面側に複数の突部を形成され、当該各突部において前記ベース部に接することを
特徴とするゴルフ練習用マット。
【請求項２】
前記請求項１に記載のゴルフ練習用マットにおいて、
前記ベース部は、多孔質弾性材層の上側に、所定の可撓性を有する略板状の吸音部材を配設される複数層構造とされ、前記吸音部材の表面に前記人工芝が接することを
特徴とするゴルフ練習用マット。
【請求項３】
前記請求項１又は２に記載のゴルフ練習用マットにおいて、
前記多孔質弾性材層は、発泡ポリウレタンからなることを
特徴とするゴルフ練習用マット。
【請求項４】
前記請求項１ないし３のいずれかに記載のゴルフ練習用マットにおいて、
前記吸音部材は、フェルト製のシートとプラスチック製フィルムを重ねた吸音層を含む構造であることを
特徴とするゴルフ練習用マット。
【請求項５】
前記請求項１ないし４のいずれかに記載のゴルフ練習用マットにおいて、
前記人工芝の突部は、前記基布に縫込まれて基布の底面側に形成されたパイルの折り返し部を含むことを
特徴とするゴルフ練習用マット。
【請求項６】
前記請求項１ないし５のいずれかに記載のゴルフ練習用マットにおいて、
前記ベース部が、前記人工芝より広い大きさとされ、上面の一部に人工芝を収める広さの凹部を穿設され、当該凹部の外側における人工芝と重ならない部位を、使用者の足を載せる足場とされることを
特徴とするゴルフ練習用マット。
【請求項７】
前記請求項１ないし６のいずれかに記載のゴルフ練習用マットにおいて、
前記人工芝は、練習の際のゴルフボール載置部分を中心とする所定範囲を、剥離部として部分的にめくれ上がり可能に、所定の切込みを設けられることを
特徴とするゴルフ練習用マット。
【発明の詳細な説明】
【技術分野】
【０００１】
本発明は、ゴルフのスイング練習の際にボールの下に設置するゴルフ練習用マットに関し、特に室内でのアプローチショット練習に好適なゴルフ練習用マットに関する。
【背景技術】
【０００２】
一般に、自宅等でゴルフのスイング練習を行う場合、誤って床面をクラブで叩くのを防いだり、練習環境をゴルフ場のフェアウェーに近付けるなどの理由で、種々のゴルフ練習用マットが用いられている。このようなゴルフ練習用マットとしては、人工芝とエアーマットを組み合わせたものがよく知られており、こうした従来のゴルフ練習用マットの一例として、実公平４−３１０９４号公報（特許文献１）に開示されるものがある。
【０００３】
従来のゴルフ練習用マットは、練習者が人工芝上において安定した状態でスイングできるように、空気圧の調節が可能なエアーマット上にゴムマットを載せ、ゴムマットの上側に堅目のフェルトを載置し、さらにその上に人工芝を積層させた構造を有する。
【先行技術文献】
【特許文献】
【０００４】
【特許文献１】実公平４−３１０９４号公報
【発明の概要】
【発明が解決しようとする課題】
【０００５】
従来のゴルフ練習用マットは、前記特許文献１に示されるように、空気圧の調節が可能なエアーマットを用いた構造であるため、練習者の足元を安定させる等の、スイングする場合の環境を調整することができる点で優れたものである。
【０００６】
しかしながら、このゴルフ練習用マットは構造が複雑であり、また、空気の出し入れのための設備等を必要とするので、製造コストが高くなり、個人が手軽に使用することができないという課題を有していた。
【０００７】
また、アプローチショットの練習を行う場合、クラブでボールを打つ際に、練習用マットをクラブで叩く状態となる。従来の練習用マットは、エアーマットを用いた構造であり、クラブがマット表面を叩いた時の衝撃を緩和できるものの、クラブがマット表面を叩いた時に発生する音や、クラブでボールを打つ音、マット表面が人工芝である場合に、クラブが人工芝を擦った時に生じる音について、特に配慮はなされておらず、こうした音は吸収されずに、床面側にそのまま伝わりやすかった。このため、従来の練習用マットを、階下に住空間のある集合住宅の上層階の部屋等で使用した場合、階下に音が達して騒音問題につながってしまうという課題を有していた。
【０００８】
本発明は、前記課題を解消するためになされたもので、簡略な構造ながら吸音効果を高くして床面側への音の伝達を防ぐゴルフ練習用マットを提供することを目的とする。
【課題を解決するための手段】
【０００９】
本発明に係るゴルフ練習用マットは、少なくとも多孔質弾性材層を含み、全体として弾性変形可能な略板状のベース部と、基布にパイルを植設して略マット状に形成され、前記ベース部の少なくとも一部の表面に重ねて配設される人工芝とを備え、前記ベース部が、前記人工芝の重なる表面部分を平面状とされてなり、前記人工芝が、前記基布の底面側に複数の突部を形成され、当該各突部において前記ベース部に接するものである。
【００１０】
このように本発明によれば、ベース部上に人工芝が重ねて一体に配設される中、ベース部表面の平面状部分と人工芝底面の突部とがわずかな面積で接触し、人工芝の基布とベース部表面との間には空隙が介在する状態にある。これにより、人工芝側からの音響振動の伝達経路が狭くなって音響抵抗が高くなり、且つ空隙自体の存在が音響抵抗として働くこととなり、ベース部と人工芝を重ねた簡略な構造ながら、床面側への騒音の伝達量を低減することができ、階下に住空間のあるマンション等の集合住宅の部屋におけるゴルフの練習でも、階下への騒音の到達を抑制して、問題なく練習を実行できる。また、ベース部と人工芝を重ねた簡略な構造のため、高い吸音効果を得つつ製造コストの低減が可能である。
【図面の簡単な説明】
【００１１】
【図１】本発明の第１の実施形態に係るゴルフ練習用マットの斜視図である。
【図２】本発明の第１の実施形態に係るゴルフ練習用マットの横断面図である。
【図３】本発明の第１の実施形態に係るゴルフ練習用マットの要部拡大断面図である。
【図４】本発明の第１の実施形態に係るゴルフ練習用マットの底面側の構造例を示す斜視図である。
【図５】本発明の第２の実施形態に係るゴルフ練習用マットの斜視図である。
【図６】図５のＡ−Ａ断面図である。
【図７】図５のＢ−Ｂ断面図である。
【発明を実施するための形態】
【００１２】
（本発明の第１の実施形態）
以下、本発明の第１の実施形態に係るゴルフ練習用マットを前記図１ないし図４に基づいて説明する。
前記各図において本実施形態に係るゴルフ練習用マット１は、全体として弾性変形可能な略板状のベース部２と、このベース部２の一部表面に重ねて配設される人工芝５とを備える構成である。
【００１３】
前記ベース部２は、床面に敷設される多孔質弾性材層としての固定部３と、この固定部３の上側所定範囲に配設される、可撓性を有する略板状の吸音部材４とを有する構成である。
前記固定部３は、多孔質弾性材、例えば、発泡ポリウレタン（ウレタンフォーム）からなる略板状体であり、上面側の所定範囲に凹部３ａが穿設配置される構成である。この凹部３ａ内に前記吸音部材４と人工芝５が重ねて嵌め込まれることで、練習用マットとして一体化する仕組みである。すなわち、固定部３は吸音部材４と人工芝５より広い面積とされ、人工芝５の配置される箇所の外側部分に練習者が足を載せて立つスペースを生じさせている（図１、図２参照）。
【００１４】
この固定部３における練習者が足４０を載せて立つスペース、すなわち足場の上に練習者が立つことで、固定部３は練習者の体重により床面上で動かないよう保持されることとなる。この固定部３の上面側における凹部３ａの近傍には、練習者の正しい立ち位置を示す表示部１７を形成するようにしてもよい（図１参照）。
【００１５】
前記固定部３をなす多孔質弾性材は、衝撃吸収性と共に、低音域（約２０〜８０Ｈｚ）の音を減衰させる音響特性を有するものが好ましく、例えば、発泡ポリウレタン等の軽量発泡樹脂材料等を用いることができる。
【００１６】
前記吸音部材４は、フェルト１１、１２と、フェルト１１、１２の間に介在させて配設される可撓性を有する合成樹脂製のシート１３と、フェルト１１、１２の表面を覆う可撓性材料製のカバー体１４とを積層一体化したものである。
【００１７】
この吸音部材４は、中低音域（約８０〜４０００Ｈｚ）の音を減衰させる音響特性のものが好ましい。この吸音部材４としては、フェルトの他、スポンジ状の可撓性材料等の吸音材を用いることもできる。なお、固定部３における音の減衰率が良好であれば、吸音部材４を省略し、凹部３ａを吸音部材４の厚み分浅くする、すなわち、吸音部材４の部分を固定部３の一部に置換えるようにすることもできる。
【００１８】
前記人工芝５は、不織布等の基布６にパイル７を植設して略マット状に形成されるものである。
前記パイル７は、合成樹脂製の芝葉である。パイル７は、基布６に上面側から縫込まれて一旦基布６の底面側に貫通し、その底面側で折り返されて再び上面側に縫い上げられて基布６を貫通し上面側に延伸されている。パイル７の本数は特に規定されないが、必要とされるパイルの長さ(すなわち、芝の丈)、堅さ等を考慮して決定される。この基布６の底面側において折り返されたパイル７の折り返し部分が、基布６の底面側に突出して、突部８を形成する。
【００１９】
各突部８は、基布６の底面側で一方向に連続する畝状に複数列並べて形成される。隣合う突部８の列同士の隙間には空隙９が生じる。なお、突部８は、畝状をなす各列ごとに、連続方向（図４中のＹ方向）に延在する保護層１０で覆って一体化するようにしてもよい（図４参照）。
【００２０】
人工芝５は、底面側の突部８で、ベース部２の表面をなす、吸音部材４の平面状の上面部分と接触することにより、吸音部材４との接触面積を小さくしており（図３参照）、基布６と吸音部材４との間には空隙９が介在する状態で、人工芝５と吸音部材４は一体化される。
【００２１】
このため、人工芝５側からの音響振動の伝達経路が狭くなって音響抵抗が高くなり、且つ、空隙９自体の存在が音響抵抗として働くことにより、基布６を吸音部材４に直に置いた場合(面接触)に比べて、人工芝５側からベース部２側への騒音の伝達量が大幅に低減されることとなる。
【００２２】
なお、人工芝５については、練習の際におけるクラブヘッドとの接触の繰返しによる経時的な損耗を考慮し、適宜交換できるように、ベース部２に着脱可能に取り付けておくのが好ましい。例えば、人工芝５の底面とベース部２の吸音部材４とを、面ファスナー等を介して着脱可能に連結すれば、交換も容易である。
【００２３】
次に、本実施形態に係るゴルフ練習用マットの使用状態について説明する。まず、練習者は、ベース部２の人工芝５のない領域に足４０を載せて立つ。ベース部２の足を載せることとなる固定部３は、多孔質弾性材製であり、足４０を載せると、練習者の体重で足が沈み込む状態となるが、特に固定部３が発泡ポリウレタン製の場合、弾性変形性能が適切となっており、練習者が正しいフォームで立つと、体重が適切に分散して、安定した支持状態が得られる。
【００２４】
ベース部２上において、練習者は、ゴルフクラブ（例えば、アイアン）で人工芝５のパイル７上のボール２０を打つ動作を行う。この場合、ゴルフクラブのヘッドがボール２０及びその近傍の人工芝５に衝突して、ヘッドがボール２０に当たる打撃音（ピシッという比較的高音域の音）が発生し、また同時に、ヘッドがパイル７を擦る音（中音域の音）や、ヘッドがパイル７や基布６に当たった鈍い音（低音域の音）が発生する。
【００２５】
しかし、これらの音は、人工芝５と吸音部材４とが、突部８先端のわずかな面積で接触し、空隙９も存在しているため、人工芝５の上面側から吸音部材４に至るまでの音響抵抗が高く、吸音部材４に至るまでの間に大幅に減衰する。また、吸音部材４や固定部３を通過しようとする音もこれら各部で減衰することから、発生音の多くは床３０に達するまでに減衰する。
【００２６】
その結果、例えばマンションあるいは鉄骨造等の建造物内の空間において、ゴルフ練習用マット１を用いる状態で、ヘッドが人工芝５に当るアプローチショットの練習を行ったとしても、ショットに伴う騒音の階下への伝達を大幅に抑制することができる。
【００２７】
一方、ゴルフクラブのヘッドが人工芝５に衝突することに伴う衝撃は、人工芝５のパイル７や吸音部材４で一部吸収されると共に、多孔質弾性材からなる固定部３で大部分が吸収されることで、床３０にほとんど伝わらず、床をはじめとする構造材を振動させて、階下に音として影響を与えるようなことはない。
【００２８】
このように、本実施形態に係るゴルフ練習用マットは、ベース部２上に人工芝５が重ねて一体に配設される中、ベース部２表面の平面状部分と人工芝５底面の突部とがわずかな面積で接触し、人工芝５の基布６とベース部２表面との間には空隙９が介在する状態にある。これにより、人工芝５側からの音響振動の伝達経路が狭くなって音響抵抗が高くなり、且つ空隙９自体の存在が音響抵抗として働くこととなり、ベース部２と人工芝５を重ねた簡略な構造ながら、床面側への騒音の伝達量を低減することができ、階下に住空間のあるマンション等の集合住宅の部屋におけるゴルフの練習でも、階下への騒音の到達を抑制して、問題なく練習を実行できる。また、ベース部２と人工芝５を重ねた簡略な構造のため、高い吸音効果を得つつ製造コストの低減が可能である。
【００２９】
なお、前記実施形態に係るゴルフ練習用マットは、ベース部２を人工芝５部分より広くして練習者の足４０を載せるスペースを設けた構成としているが、この他、ベース部２の固定部３に凹部３ａを設けない平板状とし、且つ人工芝５と吸音部材４を固定部３と同程度の広さとして、床上に敷設した際に、人工芝５部分についても練習者の足４０を載せるスペースを確保するような構成とすることもできる。また、ベース部２、人工芝５とも、練習者の足を載せるスペースを考慮せず、より小さい所定の大きさ、例えば、ボールを打つ領域をカバーする必要最小限の大きさとしてもかまわない。ただし、こうして練習用マットを小さくして足を載せて押える構造としない場合、練習時にゴルフクラブでボールを打つと、同時にヘッドが人工芝５に衝突して、練習用マットをずらそうとする力が加わるため、ベース部２下面を床３０に別途固定しておくのが望ましい。
【００３０】
（本発明の第２の実施形態）
本発明の第２の実施形態に係るゴルフ練習用マットを前記図５ないし図７に基づいて説明する。
前記各図において本実施形態に係るゴルフ練習用マットは、前記第１の実施形態同様、ベース部２と、人工芝５とを備える構成とされる一方、異なる点として、人工芝５の一部に切込みを入れて、剥離部１５を形成した構成を有するものである。
なお、人工芝５における剥離部１５の構成以外の点については、前記第１の実施形態の場合と同じであり、詳細な説明を省略する。
【００３１】
前記剥離部１５は、人工芝５の基布６にコ字状に切り込まれた切込み１６により、周囲部分からめくり上げ可能とされる構成である。切込み１６がコ字状に切り込まれているので、剥離部１５の基端部は、基布６に固定され、剥離部１５が人工芝５の残り部分から分離することはない。
【００３２】
ゴルフクラブでボール２０を打撃する練習の際に、ボール２０を剥離部１５上に載せるようにすると、クラブのヘッドがボール２０を打つと共に人工芝５のうちボール２０のある剥離部１５に衝突し、その衝撃で、剥離部１５が打撃方向前方に部分的に剥離してめくれ上がる（図７参照）。こうして、実際のゴルフ場でのショットに際しての芝がえぐりとられるような感触を得ることができ、臨場感のある練習が行える。
【００３３】
剥離部１５は、基端部が切り離されていないので、ショット時に一旦めくれ上がるが、人工芝５の残り部分から外れることなく、基布６の弾性により再び元の位置に戻る。
なお、切込み１６をコ字状とせずに矩形状に切り抜いて、ショットの際に剥離部１５が人工芝５やベース部２から外れてボール２０と共に飛ぶようにしてもかまわない。
【実施例】
【００３４】
本発明のゴルフ練習用マットを、実際に練習に使用し、ボールを打つことで生じた音の階下への伝わりに関して測定評価を実施した結果について説明する。
具体的には、本発明のゴルフ練習用マットを、試験用の室内空間の床に敷設した上で、実際にボールを載せてゴルフクラブでアプローチショットを試みた場合における発生音、すなわち、クラブのヘッドでボールを打って生じた音と、ヘッドで練習用マットを叩いて生じた衝撃音と、ヘッドを人工芝上で振切った際の擦過音との合成音、の音圧レベルを、同じ室内空間と階下の別の室内空間とでそれぞれ測定した。
【００３５】
測定は、本発明のゴルフ練習用マットを用いた場合（実施例１）と、人工芝のみ用いた場合（比較例１）と、本発明の構成のうちベース部の吸音部材を固定部と同じ材質の部材に入替えたものを用いた場合（比較例２）のそれぞれについて、同様に実行した。
【００３６】
いずれの場合も、人工芝は同じものを使用した。この人工芝は基布部分の厚さが約１ｍｍ、パイル長さが約２５ｍｍとされ、人工芝を平面上に置いた状態で基布部分と平面との間に約１ｍｍの空隙が生じるものとなっている。また、本発明のゴルフ練習用マットは、固定部として発泡ポリウレタンを使用し、吸音部材には、薄いプラスチックシートを中間に挟んでフェルトを両面に配置し、さらにフェルトの表面を布製のカバー体で覆って積層一体化したものを用いている。吸音部材の厚さは約２１ｍｍ、固定部のうち凹部の下側部分、すなわち、吸音部材及び人工芝を載せる部分の厚さは約５ｍｍである。
【００３７】
各例について、同様にボールを載せてゴルフクラブでアプローチショットを試みた場合における発生音についての、同室内と階下別室内での音圧レベルの測定値を表１に示す。ただし、測定環境である各室内空間は、無響且つ完全遮音構造ではないため、暗騒音が存在している。
【００３８】
【表１】
2013220114.tif 000003
【００３９】
前記表１より、実施例１の場合は、各比較例の場合と比較して、同室内と階下別室内のいずれでも、騒音のレベルが下がっている。すなわち、本発明のゴルフ練習用マットにより、単なる衝撃の低減だけでなく、適切な吸音がなされることで、打撃位置から床への音の伝わりが抑えられ、床から室内空間や階下の別空間への音の伝播が生じにくくなっていることがわかる。
【００４０】
このように、本発明のゴルフ練習用マットをボールの下に敷いて使用することで、ボールを打つ際に生じる各種騒音の床側への伝達を抑えて、階下への騒音の伝わる度合を大幅に小さくできることは明らかである。
【符号の説明】
【００４１】
１          ゴルフ練習用マット
２          ベース部
３          固定部
３ａ        凹部
４          吸音部材
５          人工芝
６          基布
７          パイル
８          突部
９          空隙
１０        保護層
１１、１２  フェルト
１３        シート
１４        カバー体
１５        剥離部
１６        切込み
１７        表示部
２０        ボール
３０        床
４０        足
【図１】
2013220114.tif 000004
【図２】
2013220114.tif 000005
【図３】
2013220114.tif 000006
【図４】
2013220114.tif 000007
【図５】
2013220114.tif 000008
【図６】
2013220114.tif 000009
【図７】
2013220114.tif 000010